(57)【特許請求の範囲】
【請求項１】
衣服用ハンガーを吊下可能な吊下部材と、該吊下部材を建物のドアーや長押等の掛部材の上縁部に引掛保持可能な保持機構とからなり、上記吊下部材を合成樹脂からなる保持体とその前方に突出する吊下体とにより形成すると共に該吊下体を保持体に対して連結枢軸を中心として吊下状態の略水平位置から収納状態の上向き垂直位置へと折畳み或いは折り畳み状態から略水平位置の吊下状態へと折畳自在に設け、上記保持機構は、上記保持体の後部に形成され、上記掛部材の前面部分に当接可能な当接保持面と、該保持体の後上部に取り付けられ、保持体に係止可能な係止部片及び上記掛部材の上面に当接可能な吊下保持片並びに該掛部材の後面部分に弾圧当接可能な弧状弾圧面をもつ弾圧保持片からなる金属製の挟持部材とからなり、かつ、吊下体に複数個の衣服用ハンガーを前後に吊下保持可能な複数個の掛穴部を形成すると共に該吊下体の上面に複数個の衣服用ハンガーを前後に吊下保持可能な複数個の掛溝部を形成してなることを特徴とする衣服用ハンガー掛け具。
【発明の詳細な説明】
【０００１】
【発明の属する技術分野】
本発明は例えば複数個の衣服用ハンガーをドアーや長押等に引掛保持する際に用いられる衣服用ハンガー掛け具に関するものである。
【０００２】
【従来の技術】
従来この種の衣服用ハンガー掛け具として、例えば、ドアーや長押等の掛部材の上縁部に吊下可能な上吊下部と衣服用ハンガーを吊下可能な下吊下部とをＳ字状に一体に形成してなる構造のものが知られている。
【０００３】
【発明が解決しようとする課題】
しかしながら上記従来構造の場合、掛部材に上吊下部を引掛けるだけであるため、掛部材から外れ易く、又、複数個の衣服用ハンガーを掛けることができない構造となっているので、ドアーや長押等の掛部材に沿って複数個のハンガー掛け具を吊下し、このハンガー掛け具に衣服用ハンガーを掛けることになり、それだけ、繁雑となって、室内の美観を低下させることになると共に経済性を低下させることがあるという不都合を有している。
【０００４】
【課題を解決するための手段】
本発明はこのような課題を解決することを目的とするもので、本発明のうちで、請求項１記載の発明は、衣服用ハンガーを吊下可能な吊下部材と、該吊下部材を建物のドアーや長押等の掛部材の上縁部に引掛保持可能な保持機構とからなり、上記吊下部材を合成樹脂からなる保持体とその前方に突出する吊下体とにより形成すると共に該吊下体を保持体に対して連結枢軸を中心として吊下状態の略水平位置から収納状態の上向き垂直位置へと折畳み或いは折り畳み状態から略水平位置の吊下状態へと折畳自在に設け、上記保持機構は、上記保持体の後部に形成され、上記掛部材の前面部分に当接可能な当接保持面と、該保持体の後上部に取り付けられ、保持体に係止可能な係止部片及び上記掛部材の上面に当接可能な吊下保持片並びに該掛部材の後面部分に弾圧当接可能な弧状弾圧面をもつ弾圧保持片からなる金属製の挟持部材とからなり、かつ、吊下体に複数個の衣服用ハンガーを前後に吊下保持可能な複数個の掛穴部を形成すると共に該吊下体の上面に複数個の衣服用ハンガーを前後に吊下保持可能な複数個の掛溝部を形成してなることを特徴とする衣服用ハンガー掛け具にある。
【０００５】
【発明の実施の形態】
図１乃至図８は本発明の実施の形態例を示し、１は吊下部材であって、合成樹脂製にして、保持体１ａとその下部前方に略水平に突出して衣服用ハンガーＨを吊下可能に形成された吊下体１ｂとにより形成され、かつ、この吊下体１ｂを保持体１ａに対して、連結枢軸１ｃを中心として、吊下状態の略水平位置から収納状態の上向き垂直位置へと折畳み或いは折り畳み状態から略水平位置の吊下状態へと展開動作自在に設け、この保持体１ａを建物のドアーや長押等の掛部材Ｄの上縁部に引掛保持可能な保持機構２を備えている。
【０００６】
この保持機構２は、上記保持体１ａの後部に形成され、上記掛部材Ｄの前面部分に当接可能な当接保持面１ｄと、ステンレス製等の金属製にして、この保持体１ａの後上部に取り付けられ、保持体１ａに係止可能な係止部片３ａ及び上記掛部材Ｄの上面に当接可能な吊下保持片３ｂ並びに掛部材Ｄの後面部分に弾圧当接可能な弾圧保持片３ｃからなる板バネ状の挟持部材３とからなり、この挟持部材３の弾圧保持片３ｃに弧状弾圧面３ｄを形成し、上記吊下部材１の後部に差込穴１ｅを形成し、上記係止部片３ａの下端部に折返折曲形成された係止片３ｅを形成し、上記差込穴１ｅに係止部片３ａを挿通係止するように構成している。
【０００７】
この場合、上記吊下部材１の吊下体１ｂに突出方向に亙って複数個の衣服用ハンガーＫを前後に吊下保持可能な複数個の掛穴部１ｆを形成すると共に吊下体１ａの上面に複数個の衣服用ハンガーＫを前後に吊下保持可能な複数個の掛溝部１ｇを形成し，かつ、吊下体１ｂの前端部に掛凹部１ｎを形成している。
【０００８】
又、この場合、吊下体１ｂの基部にストッパー部１ｈを形成すると共に保持体１ａにストッパー部１ｈを形成し、吊下状態の略水平位置で吊下体１ｂを保持するように構成している。
【０００９】
又、この場合、吊下部材１から挟持部材３を取り外した状態において、吊下部材１を壁面等にビス止め固定可能にビス穴１ｋを形成し、かつ、壁面等に固定した鉤体に引掛可能な鍵穴状の吊下穴１ｍを形成している。
【００１０】
又、この場合、保持体１ａに吊下体１ｂが嵌入可能な嵌入溝部１ｐを形成している。
【００１１】
この実施の形態例は上記構成であるから、建物のドアーや長押等の掛部材Ｄの上縁部に吊下部材１を保持機構２により吊下保持し、この吊下部材１に衣服Ｗを吊下可能な衣服用ハンガーＫを吊下することになり、この吊下部材１を保持体１ａと吊下体１ｂとにより形成すると共に吊下体１ｂを保持体１ａに対して折畳自在に設けているから、使用時において、図１、図６の如く、保持体１ｂを連結枢軸１ｃを中心として吊下状態の略水平位置に回動保持し、不使用時や保管時において、図６、図７の如く、保持体１ｂを上向き垂直位置へと折畳むことができ、保持体１ａと吊下体１ｂとが略平行状態となり、それだけコンパクトに収納することができ、使用の利便性を高めることができる。
【００１２】
又、この場合、上記保持機構２は、上記保持体１ａの後部に形成され、上記掛部材Ｄの前面部分に当接可能な当接保持面１ｃと、保持体１ａの後上部に取り付けられ、保持体１ａに係止可能な係止部片３ａ及び上記掛部材Ｄの上面に当接可能な吊下保持片３ｂ並びに掛部材Ｄの後面部分に弾圧当接可能な弾圧保持片３ｃからなる挟持部材３とからなるので、吊下部材１を掛部材Ｄに確実に吊下保持することができ、又、この場合、上記挟持部材３の弾圧保持片３ｃに弧状弾圧面３ｄを形成してなるから、掛部材Ｄを当接保持面１ｃと弧状弾圧面３ｄとにより確実に挟持することができ、又、この場合、吊下体１ｂに複数個の衣服用ハンガーＫを前後に吊下保持可能な複数個の掛穴部１ｆを形成しているから、掛穴部１ｆに複数個の衣服用ハンガーＫを挿通して前後に並列状に整然と掛けることができ、室内の美観が損なわれることを防ぐことができ、又、この場合、吊下体１ｂに複数個の衣服用ハンガーＫを前後に吊下保持可能な複数個の掛溝部１ｇを形成しているから、掛穴部１ｆに挿通できない複数個の衣服用ハンガーＫを掛けることができて前後に並列状に整然と掛けることができ、室内の美観が損なわれることを防ぐことができる。
【００１３】
尚、本発明は上記実施の形態例に限られるものではなく、吊下部材１、保持機構２、挟持部材３の大きさや形状、構造等は適宜変更して設計される。
【００１４】
【発明の効果】
本発明は上述の如く、請求項１記載の発明にあっては、建物のドアーや長押等の掛部材の上縁部に吊下部材を保持機構により吊下保持し、この吊下部材に衣服を吊下可能な衣服用ハンガーを吊下することになり、この吊下部材を保持体とその前方に突出する吊下体とにより形成すると共に吊下体を保持体に対して折畳自在に設けているから、使用時において、保持体を吊下状態の略水平位置に回動保持し、不使用時や保管時において、保持体を上向き垂直位置へと折畳むことができ、保持体と吊下体とが略平行状態となり、それだけコンパクトに収納することができ、使用の利便性を高めることができ、上記保持機構は、上記保持体の後部に形成され、上記掛部材の前面部分に当接可能な当接保持面と、保持体の後上部に取り付けられ、保持体に係止可能な係止部片及び上記掛部材の上面に当接可能な吊下保持片並びに掛部材の後面部分に弾圧当接可能な弾圧保持片からなる挟持部材とからなるので、吊下部材を掛部材に確実に吊下保持することができ、かつ、上記挟持部材の弾圧保持片に弧状弾圧面を形成してなるから、掛部材を当接保持面と弧状弾圧面とにより確実に挟持することができ、更に、吊下体に複数個の衣服用ハンガーを前後に吊下保持可能な複数個の掛穴部を形成すると共に吊下体の上面に複数個の衣服用ハンガーを前後に吊下保持可能な複数個の掛溝部を形成しているから、掛穴部に複数個の衣服用ハンガーを挿通して前後に並列状に整然と掛けることができ、室内の美観が損なわれることを防ぐことができ、しかも、複数個の掛溝部に複数個の衣服用ハンガーを掛けることができて前後に並列状に整然と掛けることができ、室内の美観が損なわれることを防ぐことができる。
【００１５】
以上、所期の目的を充分達成することができる。
【図面の簡単な説明】
【図１】  本発明の実施の形態例の展開状態の斜視図である。
【図２】  本発明の実施の形態例の展開状態の部分断面図である。
【図３】  本発明の実施の形態例の部分分解斜視図である。
【図４】  本発明の実施の形態例の部分正面図である。
【図５】  本発明の実施の形態例の使用状態図である。
【図６】  本発明の実施の形態例の折畳状態の斜視図である。
【図７】  本発明の実施の形態例の折畳状態の断面図である。
【図８】  本発明の実施の形態例の折畳状態の平断面図である。
【符号の説明】
Ｗ  衣服
Ｋ  衣服用ハンガー
Ｄ  掛部材
１  吊下部材
１ａ  保持体
１ｂ  吊下体
１ｃ  連結枢軸
１ｄ  当接保持面
１ｆ  掛穴部
１ｇ  掛溝部
２  保持機構
３  挟持部材
３ａ  係止部片
３ｂ  吊下保持片
３ｃ  弾性保持片
３ｄ  弧状弾圧面
【図１】
0003684960.tif 000002
【図２】
0003684960.tif 000003
【図３】
0003684960.tif 000004
【図４】
0003684960.tif 000005
【図５】
0003684960.tif 000006
【図６】
0003684960.tif 000007
【図７】
0003684960.tif 000008
【図８】
0003684960.tif 000009